(57)【要約】  移動局から基地局へ、基地局で通信の制御処理を行うための限られた複数の特定パターンを有する制御信号（ＡＣＫ信号／ＮＡＣＫ信号など）を送り、基地局は、この制御信号を用いて上りＳＩＮＲ測定を行う。また、このような制御信号を用いてＳＩＮＲを測定する手法と、従来同様のＳＩＮＲ測定用の専用信号を用いてＳＩＮＲを測定する手法を、制御信号の有無によって切り替える。さらに、上りＳＩＮＲの測定結果に基づいて上りリンクのスケジューリングを行う。このスケジューリングにおいて、サブキャリアが分散して配置された制御信号を用いて、周波数ブロックごとにＳＩＮＲを測定し、周波数スケジューリングを行うようにしてもよい。
2009019759.tif 000002
【特許請求の範囲】
【請求項１】
基地局で通信の制御処理を行うための所定パターンを有する制御信号を移動局から受信する受信手段と、
前記受信手段で受信した前記制御信号から得られる受信データに対してＳＩＮＲを測定する測定手段と、
を備えることを特徴とする基地局装置。
【請求項２】
前記測定手段は、前記受信手段で受信した前記制御信号を復調して得られる復調信号と、前記復調信号を復号化して得られる復号化データを制御信号と同じ符号化方式で符号化し、符号化されたデータを制御信号と同じマッピング方式でＩＱ信号にマッピングした信号を比較することにより、ＳＩＮＲを測定することを特徴とする請求項１に記載の基地局装置。
【請求項３】
前記測定手段は、前記受信手段で受信した前記制御信号を復調して得られる復調信号と、複数の既知のパターンを比較することにより、各ＳＩＮＲを測定し、そのうちの最大のＳＩＮＲを選択することを特徴とする請求項１に記載の基地局装置。
【請求項４】
前記受信手段は、移動局から基地局へ送られてくるＳＩＮＲ測定用の専用信号を受信し、
前記測定手段は、前記受信手段で受信した前記専用信号を復調して得られる復調信号に対してＳＩＮＲを測定する手段をさらに有し、前記制御信号の有無によって前記制御信号を用いたＳＩＮＲの測定と前記専用信号を用いたＳＩＮＲの測定との切り替えが可能であることを特徴とする請求項２または３に記載の基地局装置。
【請求項５】
前記測定手段により得られるＳＩＮＲに基づいて移動局から基地局への送信スケジューリングを行うスケジューラ、をさらに備えることを特徴とする請求項１に記載の基地局装置。
【請求項６】
前記制御信号として、サブキャリアが分散して配置された信号を用い、
前記測定手段は、周波数ブロックごとにＳＩＮＲを測定し、
前記スケジューラは、周波数スケジューリングを行うことを特徴とする請求項５に記載の基地局装置。
【請求項７】
前記制御信号は、ＡＣＫ信号とＮＡＣＫ信号であることを特徴とする請求項１に記載の基地局装置。
【請求項８】
移動局から信号を受信する受信ステップと、
受信した信号のうち、基地局で通信の制御処理を行うための限られた複数の特定パターンを有する制御信号を用い、該制御信号から得られる受信データに対してＳＩＮＲを測定する測定ステップと、
を含むことを特徴とする上りＳＩＮＲ測定方法。
【請求項９】
前記測定ステップは、前記制御信号を復調して復調信号を得るステップと、前記復調信号を復号化して復号化データを得るステップと、前記符号化データを制御信号と同じ符号化方式で再度符号化するステップと、前記符号化データを制御信号と同じマッピング方式でＩＱ信号にマッピングするステップと、前記復調信号と前記マッピング信号を比較してＳＩＮＲを測定するステップと、を含むことを特徴とする請求項８に記載の上りＳＩＮＲ測定方法。
【請求項１０】
前記測定ステップは、前記制御信号を復調して復調信号を得るステップと、前記復調信号と複数の既知のパターンを比較して各ＳＩＮＲを測定するステップと、前記各ＳＩＮＲのうちの最大のＳＩＮＲを選択するステップと、を含むことを特徴とする請求項８に記載の上りＳＩＮＲ測定方法。
【請求項１１】
前記測定ステップは、受信した信号が前記制御信号以外の信号であるときに、移動局から基地局へ送られてくるＳＩＮＲ測定用の専用信号を復調して得られる復調信号に対してＳＩＮＲを測定するステップをさらに含むことを特徴とする請求項９または１０に記載の上りＳＩＮＲ測定方法。
【請求項１２】
前記制御信号として、ＡＣＫ信号とＮＡＣＫ信号を用いることを特徴とする請求項８に記載の上りＳＩＮＲ測定方法。
【請求項１３】
移動局から信号を受信する受信ステップと、
受信した信号のうち、基地局で通信の制御処理を行うための限られた複数の特定パターンを有する制御信号を用い、該制御信号から得られる受信データに対してＳＩＮＲを測定する測定ステップと、
測定した前記ＳＩＮＲに基づいて移動局から基地局への送信スケジューリングを行うスケジューリングステップと、
を含むことを特徴とする上りスケジューリング方法。
【請求項１４】
前記制御信号として、サブキャリアが分散して配置された信号を用い、
前記測定ステップでは、周波数ブロックごとにＳＩＮＲを測定し、
前記スケジューリングステップでは、周波数スケジューリングを行うことを特徴とする請求項１３に記載の上りスケジューリング方法。
【請求項１５】
前記制御信号として、ＡＣＫ信号とＮＡＣＫ信号を用いることを特徴とする請求項１３に記載の上りスケジューリング方法。
【請求項１６】
あるタイミングで受信を期待する制御信号が複数存在する場合に、該タイミングにおける受信信号を復調、復号して得られたデータに最も類似する制御信号を送信された制御信号として判定し、
送信信号として判定された該制御信号を参照信号として前記受信信号の受信品質を求める、
ことを特徴とする受信品質測定方法。
【発明の詳細な説明】
【技術分野】
【０００１】
本発明は、基地局装置、上りＳＩＮＲ測定方法、上りスケジューリング方法および受信品質測定方法に関するものである。
【背景技術】
【０００２】
移動無線通信システムにおいて、移動局から基地局へ向かう上り方向のリンクの無線リソースを、移動局から基地局へ送信される信号のＳＩＮＲ（Ｓｉｇｎａｌ−ｔｏ−Ｉｎｔｅｒｆｅｒｅｎｃｅ  ａｎｄ  Ｎｏｉｓｅ  Ｒａｔｉｏ、信号電力対干渉雑音電力比）に基づいて割り当てることがある。その際、基地局のスケジューラは、割当ての対象となるユーザの上り方向のＳＩＮＲを取得し、取得したＳＩＮＲに基いて無線リソースの割り当てを行う。【０００３】
また、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、直交周波数多重アクセス）システムにおいて周波数スケジューリングを行う場合には、基地局のスケジューラは、周波数ブロックごとの上り方向のＳＩＮＲを用いる。ここで、上り方向のリンクおよび上り方向のＳＩＮＲを、それぞれ、上りリンク（ＵＬ）および上りＳＩＮＲとする。また、基地局から移動局へ向かう方向を下り方向とし、下り方向のリンクを下りリンク（ＤＬ）とする。【０００４】
移動無線通信規格の一つであり、ＯＦＤＭＡシステムを採用するＩＥＥＥ８０２．１６ｅ規格には、上りＳＩＮＲの測定方法に関する規定がない（例えば、非特許文献１参照。）。一般に、ＳＩＮＲは、一意に決められた専用の信号または信号系列を用いて測定される。例えば、パイロットサブキャリアやレンジング（Ｒａｎｇｉｎｇ）による信号が用いられたり、サウンディング（Ｓｏｕｎｄｉｎｇ）による信号が用いられる（例えば、特許文献１参照。）。また、従来、ＯＦＤＭＡ−ＴＤＤ（Ｔｉｍｅ  Ｄｉｖｉｓｉｏｎ  Ｄｕｐｌｅｘ）システムにおいて、移動局が、パイロット信号に対するＡＣＫ／ＮＡＣＫ情報を基地局へ送信することにより、下り方向の伝搬路状況を判定する方法が提案されている（例えば、特許文献２参照。）。【０００５】
図１１は、従来の上りＳＩＮＲ測定方法を説明する図である。図１１に示すように、ＯＦＤＭＡの送受信フレーム３は、下りリンクサブフレーム４と上りリンクサブフレーム５で構成される。従来、上述したパイロットサブキャリア等を上りＳＩＮＲ測定用信号として用いる場合、基地局１は、下りリンクサブフレーム４の上りリンクＭＡＰ情報（ＵＬ−ＭＡＰ）６を用いて移動局２に、上りＳＩＮＲ測定のために使用するタイミングや周波数ブロック等の無線リソースを通知する。【０００６】
移動局２は、基地局１から通知された無線リソースを用いて基地局１へ上りＳＩＮＲ測定用信号を送信する。この上りＳＩＮＲ測定用信号は、上りリンクサブフレーム５の専用信号領域７に格納されて送信される。基地局１は、受信した上りＳＩＮＲ測定用信号を用いて上りＳＩＮＲを測定する。そして、基地局１は、上りＳＩＮＲの測定結果に基づいて、上りリンクのスケジューリングを行い、それを上りリンクＭＡＰ情報６を用いて移動局２に通知する。移動局２は、基地局１から通知された無線リソースに従って基地局１へ上りリンクデータ（ＵＬデータ）を送信する。【０００７】
【特許文献１】特表２００４−５２３９３４号公報（段落番号［００１７］）
【特許文献２】特開２００５−２４４９５８号公報（段落番号［００４１］および［００４３］）
【非特許文献１】ＩＥＥＥ  Ｓｔｄ  ８０２．１６ｅ−２００５  ａｎｄ  ＩＥＥＥ  Ｓｔｄ  ８０２．１６−２００４／Ｃｏｒ  １−２００５、（米国）
【発明の開示】
【発明が解決しようとする課題】
【０００８】
しかしながら、上述したパイロットサブキャリア、レンジングまたはサウンディングのいずれによる方法では、基地局は、移動局に下りリンクで上りＳＩＮＲ測定用の無線リソースを通知し、移動局は、その無線リソースを用いて基地局へ上りＳＩＮＲ測定用信号を送信するため、上りリンクおよび下りリンクのリソースを圧迫するという問題がある。さらに、周波数スケジューリングを行う場合には、周波数ブロックごとに上りＳＩＮＲの測定を行うため、周波数ブロック分の上りＳＩＮＲ測定用信号が必要となり、さらにリソースを圧迫するという問題がある。【０００９】
本発明は、上記に鑑みてなされたものであって、上りリンクおよび下りリンクのリソースを圧迫することなく、上りＳＩＮＲ測定または上りリンクのスケジューリングを行うことができる基地局装置、上りＳＩＮＲ測定方法、上りスケジューリング方法および受信品質測定方法を提供することを目的とする。
【課題を解決するための手段】
【００１０】
上述した課題を解決し、目的を達成するために、本発明は、移動局から基地局へ、基地局で通信の制御処理を行うための所定パターンを有する制御信号を送り、基地局は、この制御信号を用いて上りＳＩＮＲ測定を行うことを特徴とする。この制御信号として、ＡＣＫ信号とＮＡＣＫ信号を用いることができる。【００１１】
この発明において、制御信号を復調して得られる復調信号と、この復調信号を復号化して得られる復号化データを制御信号と同じ符号化、ＩＱマッピングを行った信号を既知信号として比較してＳＩＮＲを求めてもよい。あるいは、制御信号の復調信号を、複数の既知のパターンと比較して各パターンに対するＳＩＮＲを求め、そのうちの最大のＳＩＮＲを選択するようにしてもよい。また、このような制御信号を用いてＳＩＮＲを測定する手法と、従来同様のＳＩＮＲ測定用の専用信号を用いてＳＩＮＲを測定する手法を、制御信号の有無によって切り替えるようにしてもよい。【００１２】
さらに、本発明は、得られたＳＩＮＲに基づいて上りリンクのスケジューリングを行うことを特徴とする。このスケジューリングにおいて、サブキャリアが分散して配置された制御信号を用いて、周波数ブロックごとにＳＩＮＲを測定し、周波数スケジューリングを行うようにしてもよい。【００１３】
この発明によれば、基地局が通信の制御処理を行うための通常の制御信号を用いて上りＳＩＮＲ測定を行う場合、上りＳＩＮＲ測定用の無線リソースを下りリンクで通知することと、上りＳＩＮＲ測定用の専用信号を上りリンクで送信することの両方を行わなくても、ＳＩＮＲの測定を行うことができる。また、ＳＩＮＲ測定用の専用信号を用いて上りＳＩＮＲの測定を行うこともできるので、上りＳＩＮＲ情報を常に最新に保つことができる。【００１４】
さらに、分散サブキャリア配置の制御信号を用いて上りＳＩＮＲ測定を行う場合、１つのサブチャネル内に配置されている複数の周波数ブロックのサブキャリアごとにＳＩＮＲ測定を行うことによって、全周波数ブロックのＳＩＮＲを測定することができる。従って、周波数方向全体のＳＩＮＲ特性を把握して周波数スケジューリングを行うことができる。その際にも、複数の周波数ブロックごとにサブチャネルを送る必要がないので、上りリンクの無線リソースの利用効率が上がる。
【発明の効果】
【００１５】
本発明にかかる基地局装置、上りＳＩＮＲ測定方法、上りスケジューリング方法および受信品質測定方法は、上りリンクおよび下りリンクのリソースの圧迫に配慮して、上りＳＩＮＲ測定または上りリンクのスケジューリングを行うことができるという効果を奏する。
【図面の簡単な説明】
【００１６】
【図１】図１は、この発明の実施例１にかかる基地局装置の構成を示す図である。
【図２】図２は、この発明の実施例１にかかる基地局装置のＳＩＮＲ計算部の詳細を示す図である。
【図３】図３は、この発明の実施例１にかかる基地局装置のＳＩＮＲ測定時の動作を示す図である。
【図４】図４は、この発明の実施例２にかかる基地局装置の構成を示す図である。
【図５】図５は、この発明の実施例２にかかる基地局装置のＳＩＮＲ測定時の動作を示す図である。
【図６】図６は、この発明の実施例３にかかる基地局装置の構成を示す図である。
【図７】図７は、この発明の実施例３にかかる基地局装置のＳＩＮＲ測定時の動作を示す図である。
【図８】図８は、この発明の実施例４にかかる基地局装置の構成を示す図である。
【図９】図９は、この発明の実施例４にかかる基地局装置におけるサブキャリア配置方式の選択処理を示す図である。
【図１０】図１０は、この発明の実施例にかかる上りＳＩＮＲ測定方法を説明する図である。
【図１１】図１１は、従来の上りＳＩＮＲ測定方法を説明する図である。
【符号の説明】
【００１７】
１１  受信機
１２  復調部
１３  復号部
１５  符号化部
１６  マッピング部
１７，２３，２４  ＳＩＮＲ計算部
１８，４３  スケジューラ
２２  既知パターンメモリ
２５  最大ＳＩＮＲ選択部
３１，４１  制御信号用ＳＩＮＲ計算部
３２，４２  専用信号用ＳＩＮＲ計算部
３３  ＳＩＮＲ測定方式選択部
４４  サブキャリア配置方式選択部
【発明を実施するための最良の形態】
【００１８】
以下に、本発明にかかる基地局装置、上りＳＩＮＲ測定方法、上りスケジューリング方法および受信品質測定方法の実施例を図面に基づいて詳細に説明する。なお、この実施例によりこの発明が限定されるものではない。
【実施例１】
【００１９】
図１は、この発明の実施例１にかかる基地局装置の構成を示す図である。図１に示すように、基地局装置は、受信機１１、復調部１２、復号部１３、上位レイヤ部１４、符号化部１５、マッピング部１６、ＳＩＮＲ計算部１７、スケジューラ１８、リソース割当情報作成部１９、信号処理部２０および送信機２１を備えている。【００２０】
受信機１１は、図示しない移動局から送られてくる信号を受信する。移動局からは、基地局で通信の制御処理を行うための制御信号やデータなどが送られてくる。基地局装置は、移動局から送られてくるＡＣＫ信号とＮＡＣＫ信号のように、所定のパターンを有する制御信号に基づいて、通常の通信制御処理を行うとともに、その制御信号を用いて上りＳＩＮＲ測定を行う。即ち、あるタイミングで受信が期待される制御信号の種類が複数（Ｃ１〜ＣＮ）に限られる場合に、受信した信号に最も類似（一致を含む）する制御信号がいずれの種類（Ｃｉ）に該当するかを判定し、特定した種類（Ｃｉ）を参照信号として用いる。【００２１】
例えば、送信データに対する応答の受信を期待している場合、ＡＣＫ信号とＮＡＣＫ信号の限られた複数の特定パターンは、例えば「０」と「１」である。本明細書においては、特に断らない限り、制御信号とは、基地局での通信の制御処理に用いられる信号であるとともに、上りＳＩＮＲ測定を行うための信号であり、限られた複数の特定パターンを有する信号であるとする。【００２２】
復調部１２、復号部１３、符号化部１５、マッピング部１６およびＳＩＮＲ計算部１７は、受信機１１で受信した制御信号から得られる受信データに対してＳＩＮＲを測定する測定手段を構成している。復調部１２は、受信機１１で受信した信号を復調する。復調部１２で復調されたデータには、上りリンクの伝搬路の状況に応じて誤りが生じていることがある。復号部１３は、復調部１２で復調されたデータを復号化し、誤りを訂正する。符号化部１５は復号部で特定された制御信号パターンを制御信号に用いたのと同じ符号化方式で再度符号化し、マッピング部１６は再符号化されたデータを制御信号と同じ方式でマッピングする。尚、誤り訂正を行った後も、期待している所定のパターンに一致しない場合は、期待している複数のパターンの候補の中から最も類似するパターンを復号データとして採用する。即ち、制御信号としてＣ１（００１１）、Ｃ２（１１００）の２種類のいずれかを受信することを期待しているにもかかわらず、０１００を受信した場合、Ｃ２の方が、Ｃ１よりも類似しているため、Ｃ２を復号データとし、再符号化、マッピングを行う。【００２３】
ＳＩＮＲ計算部１７は、復調部１２で復調されたデータと、マッピング部１６でマッピングされたデータを比較し、ＳＩＮＲを計算して求める。このとき、マッピング部１６でマッピングされたデータが既知パターンのデータとなる。この既知パターンのデータに対して復調部１２で復調されたデータを比較することにより、上りリンクの伝搬路の状況を推定することができる。また、このときのＳＩＮＲ計算は、例えば図２のような従来と同様の方式を用いることが出来る。復調部１２により振幅変動、位相変動がかかったＩＱ信号が得られる。その信号をチャネル推定部５１で振幅変動、位相変動を除去したＩＱ信号を計算する。次に所望信号電力計算部５２で既知信号パターン５３と乗算し所望信号の電力を計算する。また干渉信号電力計算部（図２では、干渉信号＋雑音電力計算部と表記）５４では復調後の受信信号から所望信号を引いた値から干渉信号の電力を計算する。次にサブＳＩＮＲ計算部５５で所望信号電力と干渉信号電力の比を取ってＳＩＮＲを計算する。本発明では既知信号パターン５３がマッピング部１６から得られる。【００２４】
スケジューラ１８は、ＳＩＮＲ計算部１７から得られる上りＳＩＮＲ情報に基づいて、上りリンクのスケジューリングを行う。リソース割当情報作成部１９は、スケジューラ１８から得られる上りリンクのスケジューリング結果に基づいてリソース割当情報を作成する。信号処理部２０は、移動局へ送信するリソース割当情報等のデータに対して符号化処理および変調処理を行う。送信機２１は、信号処理部２０の出力信号を移動局へ送信する。【００２５】
また、受信機１１で受信した制御信号は、復調部１２および復号部１３により復調および復号化されて、上位レイヤ部１４に渡される。上位レイヤ部１４は、復号部１３から渡された制御情報に基づいて、通信の制御処理を行う。【００２６】
図３は、この発明の実施例１にかかる基地局装置のＳＩＮＲ測定時の動作を示す図である。図３に示すように、まず、受信機１１により、移動局から送られてきた制御信号を受信する（ステップＳ１）。次いで、復調部１２により、その制御信号を復調する（ステップＳ２）。次いで、復号部１３により、復調されたデータを復号化する（ステップＳ３）。次いで、符号化部１５により復号されたデータを再符号化する（ステップＳ４）。次いで、マッピング部１６により、再符号化されたデータをＩＱ信号にマッピングする（ステップＳ５）。次いで、ＳＩＮＲ計算部１７により、復調部１２で復調されたデータと、マッピング部１６でＩＱ信号にマッピングされたデータを比較して、ＳＩＮＲを計算する（ステップＳ６）。【００２７】
次いで、スケジューラ１８により、ＳＩＮＲの計算結果に基づいて、上りリンクのスケジューリングを行う（ステップＳ７）。次いで、リソース割当情報作成部１９により、上りリンクのスケジューリング結果に基づいて、移動局へ通知するためのリソース割当情報を作成する（ステップＳ８）。次いで、信号処理部２０により、リソース割当情報等のデータに対して符号化および変調等の信号処理を行う（ステップＳ９）。そして、送信機２１により、信号処理されたリソース割当情報を移動局へ送信する（ステップＳ１０）。
【実施例２】
【００２８】
図４は、この発明の実施例２にかかる基地局装置の構成を示す図である。図３に示すように、実施例２が実施例１と異なるのは、ＳＩＮＲの測定手段が復調部１２、既知パターンメモリ２２、第１から第ｎまでのｎ個のＳＩＮＲ計算部２３，２４および最大ＳＩＮＲ選択部２５により構成されていることである。ここで、ｎは、２以上の自然数である。その他の構成は、実施例１と同じである。従って、実施例２において、実施例１と同じ構成については、実施例１と同一の符号を付して説明を省略する。【００２９】
既知パターンメモリ２２は、ＳＩＮＲ測定を行う際に用いられるｎ個の既知パターンデータを記憶している。第１のＳＩＮＲ計算部２３は、復調部１２で復調されたデータと、既知パターンメモリ２２に記憶されている第１の既知パターンデータを比較し、ＳＩＮＲを計算して求める。また、第ｎのＳＩＮＲ計算部２４は、復調部１２で復調されたデータと、既知パターンメモリ２２に記憶されている第ｎの既知パターンデータを比較し、ＳＩＮＲを計算して求める。従って、実施例２では、復号部１３で復号化されたデータは、ＳＩＮＲ測定の既知パターンデータとしては用いられない。【００３０】
第２から第［ｎ−１］までの既知パターンデータについても同様である。なお、図４では、第２から第［ｎ−１］までのＳＩＮＲ計算部は、省略されている。各ＳＩＮＲ計算部２３，２４で得られるＳＩＮＲ値は、仮の値である。最大ＳＩＮＲ選択部２５は、ｎ個のＳＩＮＲ計算部２３，２４から得られるｎ個の仮のＳＩＮＲ値の中から最大の値のものを選択する。スケジューラ１８には、最大ＳＩＮＲ選択部２５で選択された値が上りＳＩＮＲ情報として渡される。【００３１】
図５は、この発明の実施例２にかかる基地局装置のＳＩＮＲ測定時の動作を示す図である。図５に示すように、移動局から制御信号を受信し（ステップＳ１１）、その制御信号を復調する（ステップＳ１２）までは、実施例１のステップＳ１およびステップＳ２と同じである。次いで、ｍの値を１に設定する（ステップＳ１３）。ｍは、ｎ以下の自然数である。次いで、ｍの値がｎの値以下であるか否かを判断する（ステップＳ１４）。ここで、ｎの値は、既知パターンメモリ２２に記憶されている既知パターンデータの数である。【００３２】
最初は、ｍが１であるので、ｍの値はｎの値以下である（ステップＳ１４：Ｙｅｓ）。従って、第１のＳＩＮＲ計算部２３により、復調部１２で復調されたデータと、既知パターンメモリ２２に記憶されている第１の既知パターンデータを比較し、仮の第１のＳＩＮＲを計算して求める（ステップＳ１５）。そして、ｍの値を１だけインクリメントし（ステップＳ１６）、再び、ｍの値がｎの値以下であるか否かを判断する（ステップＳ１４）。【００３３】
ｍの値がｎの値と等しくなるまでは、ステップＳ１４〜ステップＳ１６を繰り返し、第ｍのＳＩＮＲ計算部により、復調部１２で復調されたデータと、既知パターンメモリ２２に記憶されている第ｍの既知パターンデータを比較し、仮の第ｍのＳＩＮＲを計算して求める。ｍの値がｎの値よりも大きくなったら（ステップＳ１４：Ｎｏ）、最大ＳＩＮＲ選択部２５により、得られたｎ個の仮のＳＩＮＲ値の中から最大の値のものを選択する（ステップＳ１７）。【００３４】
そして、最大のＳＩＮＲの値に基づいて、上りリンクのスケジューリングを行い（ステップＳ１８）、リソース割当情報を作成し（ステップＳ１９）、信号処理を行って（ステップＳ２０）、移動局へ送信する（ステップＳ２１）。このステップＳ１８〜ステップＳ２１は、実施例１のステップＳ５〜ステップＳ８と同じである。
【実施例３】
【００３５】
図６は、この発明の実施例３にかかる基地局装置の構成を示す図である。図６に示すように、実施例３が実施例１と異なるのは、ＳＩＮＲの測定手段が復調部１２、復号部１３、符号化部１５、マッピング部１６、制御信号用ＳＩＮＲ計算部３１、専用信号用ＳＩＮＲ計算部３２およびＳＩＮＲ測定方式選択部３３により構成されていることである。その他の構成は、実施例１と同じである。従って、実施例３において、実施例１と同じ構成については、実施例１と同一の符号を付して説明を省略する。【００３６】
スケジューラ１８は、上位レイヤ部１４からアプリケーションの情報を受け取り、ＳＩＮＲ測定方式選択部３３に、移動局が実施例１のような限られた複数の特定パターンを有する制御信号（ＡＣＫ信号、ＮＡＣＫ信号など）を送信してくるか否かを通知する。ＳＩＮＲ測定方式選択部３３は、そのような制御信号が送られてくるという通知を受け取る場合には、その制御信号の復調信号を復調部１２から制御信号用ＳＩＮＲ計算部３１へ転送する。【００３７】
ＳＩＮＲ測定方式選択部３３は、そのような制御信号が送られてこないという通知を受け取る場合には、上りＳＩＮＲ測定用の専用信号の復調信号を復調部１２から専用信号用ＳＩＮＲ計算部３２へ転送する。制御信号用ＳＩＮＲ計算部３１は、実施例１と同様に、制御信号の復調信号と、それを復号部１３で復号化し符号化部１５で再符号化し、マッピング部１６でＩＱ信号にマッピングした信号を比較し、ＳＩＮＲを計算して求める。【００３８】
専用信号用ＳＩＮＲ計算部３２は、従来同様、専用信号の復調信号と既知パターンのデータを比較してＳＩＮＲを計算する。この専用信号は、受信機１１で受信され、復調部１２で復調される。スケジューラ１８には、制御信号用ＳＩＮＲ計算部３１または専用信号用ＳＩＮＲ計算部３２からＳＩＮＲ情報が渡される。【００３９】
図７は、この発明の実施例３にかかる基地局装置のＳＩＮＲ測定時の動作を示す図である。図７に示すように、移動局から制御信号を受信し（ステップＳ３１）、その制御信号を復調し（ステップＳ３２）、さらに復号する（ステップＳ３３）までは、実施例１のステップＳ１、ステップＳ２およびステップＳ３と同じである。次いで、スケジューラ１８およびＳＩＮＲ測定方式選択部３３により、上りＳＩＮＲ測定を行うための制御信号の有無を判断する（ステップＳ３４）。【００４０】
その制御信号がある場合（ステップＳ３４：Ｎｏ）には、復号データを再度符号化し（ステップ３５）、ＩＱ信号にマッピングし（ステップ３６）、制御信号用ＳＩＮＲ計算部３１に送り、制御信号用ＳＩＮＲ計算部３１により、制御信号を用いて上りＳＩＮＲを計算する（ステップＳ３７）。制御信号がない場合（ステップＳ３４：Ｙｅｓ）、専用信号用ＳＩＮＲ計算部３２により、専用信号を用いて上りＳＩＮＲを計算する（ステップＳ３８）。そして、得られたＳＩＮＲの値に基づいて、上りリンクのスケジューリングを行い（ステップＳ３９）、リソース割当情報を作成し（ステップＳ４０）、信号処理を行って（ステップＳ４１）、移動局へ送信する（ステップＳ４２）。このステップＳ３９〜ステップＳ４２は、実施例１のステップＳ７〜ステップＳ１０と同じである。【００４１】
以上説明したように、実施例３は、実施例１の基地局装置に、従来同様の専用信号による上りＳＩＮＲ測定機能を付加したものである。実施例２の基地局装置に、従来同様の専用信号による上りＳＩＮＲ測定機能を付加することもできる。
【実施例４】
【００４２】
図８は、この発明の実施例４にかかる基地局装置の構成を示す図である。図８に示すように、実施例４は、実施例３において周波数スケジューリングを行うようにしたものである。従って、制御信号用ＳＩＮＲ計算部４１および専用信号用ＳＩＮＲ計算部４２は、周波数ブロックごとのＳＩＮＲを測定する。スケジューラ４３は、周波数スケジューリングを行う機能を有している。スケジューラ４３は、制御信号用ＳＩＮＲ計算部４１または専用信号用ＳＩＮＲ計算部４２から周波数ブロックごとの上りＳＩＮＲ情報を受け取り、上りリンクの周波数スケジューリングを行う。【００４３】
スケジューラ４３には、サブキャリア配置方式選択部４４が設けられている。サブキャリア配置方式選択部４４は、分散サブキャリア配置方式が選択される場合、上りＳＩＮＲ測定のために移動局に送信させる制御信号または専用信号のサブキャリア配置方式を分散サブキャリア配置方式とする。実施例４にかかる基地局装置のＳＩＮＲ測定時の動作は、実施例３と同じである。【００４４】
図９は、この発明の実施例４にかかる基地局装置におけるサブキャリア配置方式の選択処理を示す図である。図９に示すように、サブキャリア配置方式の選択処理が開始されると、まず、サブキャリア配置方式選択部４４は、周波数スケジューリングを実施するか否かを判断する（ステップＳ５１）。【００４５】
実施する場合（ステップＳ５１：Ｙｅｓ）、サブキャリア配置方式選択部４４は、分散サブキャリア配置方式を選択する（ステップＳ５２）。周波数スケジューリングを実施しない場合（ステップＳ５１：Ｎｏ）、特に何もしない。従って、サブキャリア配置方式選択部４４は、そのときのサブキャリア配置方式に従って、分散サブキャリア配置方式または隣接サブキャリア配置方式を選択する（ステップＳ５３）。そして、サブキャリア配置方式の選択処理を終了する。【００４６】
以上説明したように、実施例４は、実施例３の基地局装置に、サブキャリア配置方式の選択機能を付加したものである。実施例１または実施例２の基地局装置に、実施例４と同様のサブキャリア配置方式を選択する機能を付加することもできる。【００４７】
以上説明したように、実施例１〜４によれば、制御信号を用いて上りＳＩＮＲ測定を行う場合、上りＳＩＮＲ測定用の無線リソースを下りリンクで通知することと、上りＳＩＮＲ測定用の専用信号を上りリンクで送信することの両方を行う必要がない。そのため、図１０に示すように、ＯＦＤＭＡの送受信フレーム３の下りリンクサブフレーム４において、上りリンクＭＡＰ情報８のメッセージサイズが、図１１に示す従来の上りリンクＭＡＰ情報６のメッセージサイズよりも小さくなる。また、上りリンクサブフレーム５において、図１１に示す従来の専用信号領域７が不要となり、図１０に示すように、制御信号領域９のみで足りる。従って、上りリンクおよび下りリンクのリソースを圧迫することなく、上りＳＩＮＲ測定および上りリンクのスケジューリングを行うことができる。【００４８】
図１０は、この発明の実施例にかかる上りＳＩＮＲ測定方法を説明する図である。また、実施例３または４によれば、ＳＩＮＲ測定用の専用信号を用いて上りＳＩＮＲの測定を行うこともできるので、上りＳＩＮＲ情報を常に最新に保つことができる。さらに、実施例４によれば、分散サブキャリア配置の制御信号を用いて上りＳＩＮＲ測定を行う場合、１つのサブチャネル内に配置されている複数の周波数ブロックのサブキャリアごとにＳＩＮＲ測定を行うことによって、全周波数ブロックのＳＩＮＲを測定することができる。従って、周波数方向全体のＳＩＮＲ特性を把握して周波数スケジューリングを行うことができる。その際にも、複数の周波数ブロックごとにサブチャネルを送る必要がないので、上りリンクの無線リソースの利用効率が上がる。
【産業上の利用可能性】
【００４９】
以上のように、本発明にかかる基地局装置、上りＳＩＮＲ測定方法、上りスケジューリング方法および受信品質測定方法は、上りＳＩＮＲの測定結果に基づいて上りリンクのスケジューリングを行う移動無線通信システムに有用であり、特に、ＩＥＥＥ８０２．１６ｅ規格の移動無線通信システムに適している。
【図１】
2009019759.tif 000003
【図２】
2009019759.tif 000004
【図３】
2009019759.tif 000005
【図４】
2009019759.tif 000006
【図５】
2009019759.tif 000007
【図６】
2009019759.tif 000008
【図７】
2009019759.tif 000009
【図８】
2009019759.tif 000010
【図９】
2009019759.tif 000011
【図１０】
2009019759.tif 000012
【図１１】
2009019759.tif 000013
【手続補正書】
【提出日】平成21年11月24日(2009.11.24)
【手続補正１】
【補正対象書類名】特許請求の範囲
【補正対象項目名】全文
【補正方法】変更
【補正の内容】
【特許請求の範囲】
【請求項１】
基地局で通信の制御処理を行うための所定パターンを有する制御信号を移動局から受信する受信手段と、
前記受信手段で受信した前記制御信号から得られる受信データに対してＳＩＮＲを測定する測定手段と、
を備えることを特徴とする基地局装置。
【請求項２】
前記測定手段は、前記受信手段で受信した前記制御信号を復調して得られる復調信号と、前記復調信号を復号化して得られる復号化データを制御信号と同じ符号化方式で符号化し、符号化されたデータを制御信号と同じマッピング方式でＩＱ信号にマッピングした信号を比較することにより、ＳＩＮＲを測定することを特徴とする請求項１に記載の基地局装置。
【請求項３】
前記測定手段は、前記受信手段で受信した前記制御信号を復調して得られる復調信号と、複数の既知のパターンを比較することにより、各ＳＩＮＲを測定し、そのうちの最大のＳＩＮＲを選択することを特徴とする請求項１に記載の基地局装置。
【請求項４】
前記受信手段は、移動局から基地局へ送られてくるＳＩＮＲ測定用の専用信号を受信し、
前記測定手段は、前記受信手段で受信した前記専用信号を復調して得られる復調信号に対してＳＩＮＲを測定する手段をさらに有し、前記制御信号の有無によって前記制御信号を用いたＳＩＮＲの測定と前記専用信号を用いたＳＩＮＲの測定との切り替えが可能であることを特徴とする請求項２または３に記載の基地局装置。
【請求項５】
前記測定手段により得られるＳＩＮＲに基づいて移動局から基地局への送信スケジューリングを行うスケジューラ、をさらに備えることを特徴とする請求項１に記載の基地局装置。
【請求項６】
前記制御信号として、サブキャリアが分散して配置された信号を用い、
前記測定手段は、周波数ブロックごとにＳＩＮＲを測定し、
前記スケジューラは、周波数スケジューリングを行うことを特徴とする請求項５に記載の基地局装置。
【請求項７】
移動局から信号を受信する受信ステップと、
受信した信号のうち、基地局で通信の制御処理を行うための限られた複数の特定パターンを有する制御信号を用い、該制御信号から得られる受信データに対してＳＩＮＲを測定する測定ステップと、
を含むことを特徴とする上りＳＩＮＲ測定方法。
【請求項８】
前記測定ステップは、前記制御信号を復調して復調信号を得るステップと、前記復調信号を復号化して復号化データを得るステップと、前記符号化データを制御信号と同じ符号化方式で再度符号化するステップと、前記符号化データを制御信号と同じマッピング方式でＩＱ信号にマッピングするステップと、前記復調信号と前記マッピング信号を比較してＳＩＮＲを測定するステップと、を含むことを特徴とする請求項７に記載の上りＳＩＮＲ測定方法。
【請求項９】
前記測定ステップは、前記制御信号を復調して復調信号を得るステップと、前記復調信号と複数の既知のパターンを比較して各ＳＩＮＲを測定するステップと、前記各ＳＩＮＲのうちの最大のＳＩＮＲを選択するステップと、を含むことを特徴とする請求項７に記載の上りＳＩＮＲ測定方法。
【請求項１０】
移動局から信号を受信する受信ステップと、
受信した信号のうち、基地局で通信の制御処理を行うための限られた複数の特定パターンを有する制御信号を用い、該制御信号から得られる受信データに対してＳＩＮＲを測定する測定ステップと、
測定した前記ＳＩＮＲに基づいて移動局から基地局への送信スケジューリングを行うスケジューリングステップと、
を含むことを特徴とする上りスケジューリング方法。
【請求項１１】
あるタイミングで受信を期待する制御信号が複数存在する場合に、該タイミングにおける受信信号を復調、復号して得られたデータに最も類似する制御信号を送信された制御信号として判定し、
送信信号として判定された該制御信号を参照信号として前記受信信号の受信品質を求める、
ことを特徴とする受信品質測定方法。
【手続補正２】
【補正対象書類名】明細書
【補正対象項目名】全文
【補正方法】変更
【補正の内容】
【発明の詳細な説明】
【技術分野】
【０００１】
本発明は、基地局装置、上りＳＩＮＲ測定方法、上りスケジューリング方法および受信品質測定方法に関するものである。
【背景技術】
【０００２】
移動無線通信システムにおいて、移動局から基地局へ向かう上り方向のリンクの無線リソースを、移動局から基地局へ送信される信号のＳＩＮＲ（Ｓｉｇｎａｌ−ｔｏ−Ｉｎｔｅｒｆｅｒｅｎｃｅ  ａｎｄ  Ｎｏｉｓｅ  Ｒａｔｉｏ、信号電力対干渉雑音電力比）に基づいて割り当てることがある。その際、基地局のスケジューラは、割当ての対象となるユーザの上り方向のＳＩＮＲを取得し、取得したＳＩＮＲに基いて無線リソースの割り当てを行う。
【０００３】
また、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、直交周波数多重アクセス）システムにおいて周波数スケジューリングを行う場合には、基地局のスケジューラは、周波数ブロックごとの上り方向のＳＩＮＲを用いる。ここで、上り方向のリンクおよび上り方向のＳＩＮＲを、それぞれ、上りリンク（ＵＬ）および上りＳＩＮＲとする。また、基地局から移動局へ向かう方向を下り方向とし、下り方向のリンクを下りリンク（ＤＬ）とする。
【０００４】
移動無線通信規格の一つであり、ＯＦＤＭＡシステムを採用するＩＥＥＥ８０２．１６ｅ規格には、上りＳＩＮＲの測定方法に関する規定がない（例えば、非特許文献１参照。）。一般に、ＳＩＮＲは、一意に決められた専用の信号または信号系列を用いて測定される。例えば、パイロットサブキャリアやレンジング（Ｒａｎｇｉｎｇ）による信号が用いられたり、サウンディング（Ｓｏｕｎｄｉｎｇ）による信号が用いられる（例えば、特許文献１参照。）。また、従来、ＯＦＤＭＡ−ＴＤＤ（Ｔｉｍｅ  Ｄｉｖｉｓｉｏｎ  Ｄｕｐｌｅｘ）システムにおいて、移動局が、パイロット信号に対するＡＣＫ／ＮＡＣＫ情報を基地局へ送信することにより、下り方向の伝搬路状況を判定する方法が提案されている（例えば、特許文献２参照。）。
【０００５】
図１１は、従来の上りＳＩＮＲ測定方法を説明する図である。図１１に示すように、ＯＦＤＭＡの送受信フレーム３は、下りリンクサブフレーム４と上りリンクサブフレーム５で構成される。従来、上述したパイロットサブキャリア等を上りＳＩＮＲ測定用信号として用いる場合、基地局１は、下りリンクサブフレーム４の上りリンクＭＡＰ情報（ＵＬ−ＭＡＰ）６を用いて移動局２に、上りＳＩＮＲ測定のために使用するタイミングや周波数ブロック等の無線リソースを通知する。
【０００６】
移動局２は、基地局１から通知された無線リソースを用いて基地局１へ上りＳＩＮＲ測定用信号を送信する。この上りＳＩＮＲ測定用信号は、上りリンクサブフレーム５の専用信号領域７に格納されて送信される。基地局１は、受信した上りＳＩＮＲ測定用信号を用いて上りＳＩＮＲを測定する。そして、基地局１は、上りＳＩＮＲの測定結果に基づいて、上りリンクのスケジューリングを行い、それを上りリンクＭＡＰ情報６を用いて移動局２に通知する。移動局２は、基地局１から通知された無線リソースに従って基地局１へ上りリンクデータ（ＵＬデータ）を送信する。
【先行技術文献】
【特許文献】
【０００７】
【特許文献１】特表２００４−５２３９３４号公報（段落番号［００１７］）
【特許文献２】特開２００５−２４４９５８号公報（段落番号［００４１］および［００４３］）
【非特許文献】
【０００８】
【非特許文献１】ＩＥＥＥ  Ｓｔｄ  ８０２．１６ｅ−２００５  ａｎｄ  ＩＥＥＥ  Ｓｔｄ  ８０２．１６−２００４／Ｃｏｒ  １−２００５、（米国）
【発明の概要】
【発明が解決しようとする課題】
【０００９】
しかしながら、上述したパイロットサブキャリア、レンジングまたはサウンディングのいずれによる方法では、基地局は、移動局に下りリンクで上りＳＩＮＲ測定用の無線リソースを通知し、移動局は、その無線リソースを用いて基地局へ上りＳＩＮＲ測定用信号を送信するため、上りリンクおよび下りリンクのリソースを圧迫するという問題がある。さらに、周波数スケジューリングを行う場合には、周波数ブロックごとに上りＳＩＮＲの測定を行うため、周波数ブロック分の上りＳＩＮＲ測定用信号が必要となり、さらにリソースを圧迫するという問題がある。
【００１０】
本発明は、上記に鑑みてなされたものであって、上りリンクおよび下りリンクのリソースを圧迫することなく、上りＳＩＮＲ測定または上りリンクのスケジューリングを行うことができる基地局装置、上りＳＩＮＲ測定方法、上りスケジューリング方法および受信品質測定方法を提供することを目的とする。
【課題を解決するための手段】
【００１１】
上述した課題を解決し、目的を達成するために、本発明は、移動局から基地局へ、基地局で通信の制御処理を行うための所定パターンを有する制御信号を送り、基地局は、この制御信号を用いて上りＳＩＮＲ測定を行うことを特徴とする。この制御信号として、ＡＣＫ信号とＮＡＣＫ信号を用いることができる。
【００１２】
この発明において、制御信号を復調して得られる復調信号と、この復調信号を復号化して得られる復号化データを制御信号と同じ符号化、ＩＱマッピングを行った信号を既知信号として比較してＳＩＮＲを求めてもよい。あるいは、制御信号の復調信号を、複数の既知のパターンと比較して各パターンに対するＳＩＮＲを求め、そのうちの最大のＳＩＮＲを選択するようにしてもよい。また、このような制御信号を用いてＳＩＮＲを測定する手法と、従来同様のＳＩＮＲ測定用の専用信号を用いてＳＩＮＲを測定する手法を、制御信号の有無によって切り替えるようにしてもよい。
【００１３】
さらに、本発明は、得られたＳＩＮＲに基づいて上りリンクのスケジューリングを行うことを特徴とする。このスケジューリングにおいて、サブキャリアが分散して配置された制御信号を用いて、周波数ブロックごとにＳＩＮＲを測定し、周波数スケジューリングを行うようにしてもよい。
【００１４】
この発明によれば、基地局が通信の制御処理を行うための通常の制御信号を用いて上りＳＩＮＲ測定を行う場合、上りＳＩＮＲ測定用の無線リソースを下りリンクで通知することと、上りＳＩＮＲ測定用の専用信号を上りリンクで送信することの両方を行わなくても、ＳＩＮＲの測定を行うことができる。また、ＳＩＮＲ測定用の専用信号を用いて上りＳＩＮＲの測定を行うこともできるので、上りＳＩＮＲ情報を常に最新に保つことができる。
【００１５】
さらに、分散サブキャリア配置の制御信号を用いて上りＳＩＮＲ測定を行う場合、１つのサブチャネル内に配置されている複数の周波数ブロックのサブキャリアごとにＳＩＮＲ測定を行うことによって、全周波数ブロックのＳＩＮＲを測定することができる。従って、周波数方向全体のＳＩＮＲ特性を把握して周波数スケジューリングを行うことができる。その際にも、複数の周波数ブロックごとにサブチャネルを送る必要がないので、上りリンクの無線リソースの利用効率が上がる。
【発明の効果】
【００１６】
本発明にかかる基地局装置、上りＳＩＮＲ測定方法、上りスケジューリング方法および受信品質測定方法は、上りリンクおよび下りリンクのリソースの圧迫に配慮して、上りＳＩＮＲ測定または上りリンクのスケジューリングを行うことができるという効果を奏する。
【図面の簡単な説明】
【００１７】
【図１】この発明の実施例１にかかる基地局装置の構成を示す図である。
【図２】この発明の実施例１にかかる基地局装置のＳＩＮＲ計算部の詳細を示す図である。
【図３】この発明の実施例１にかかる基地局装置のＳＩＮＲ測定時の動作を示す図である。
【図４】この発明の実施例２にかかる基地局装置の構成を示す図である。
【図５】この発明の実施例２にかかる基地局装置のＳＩＮＲ測定時の動作を示す図である。
【図６】この発明の実施例３にかかる基地局装置の構成を示す図である。
【図７】この発明の実施例３にかかる基地局装置のＳＩＮＲ測定時の動作を示す図である。
【図８】この発明の実施例４にかかる基地局装置の構成を示す図である。
【図９】この発明の実施例４にかかる基地局装置におけるサブキャリア配置方式の選択処理を示す図である。
【図１０】この発明の実施例にかかる上りＳＩＮＲ測定方法を説明する図である。
【図１１】従来の上りＳＩＮＲ測定方法を説明する図である。
【発明を実施するための形態】
【００１８】
以下に、本発明にかかる基地局装置、上りＳＩＮＲ測定方法、上りスケジューリング方法および受信品質測定方法の実施例を図面に基づいて詳細に説明する。なお、この実施例によりこの発明が限定されるものではない。
【実施例１】
【００１９】
図１は、この発明の実施例１にかかる基地局装置の構成を示す図である。図１に示すように、基地局装置は、受信機１１、復調部１２、復号部１３、上位レイヤ部１４、符号化部１５、マッピング部１６、ＳＩＮＲ計算部１７、スケジューラ１８、リソース割当情報作成部１９、信号処理部２０および送信機２１を備えている。
【００２０】
受信機１１は、図示しない移動局から送られてくる信号を受信する。移動局からは、基地局で通信の制御処理を行うための制御信号やデータなどが送られてくる。基地局装置は、移動局から送られてくるＡＣＫ信号とＮＡＣＫ信号のように、所定のパターンを有する制御信号に基づいて、通常の通信制御処理を行うとともに、その制御信号を用いて上りＳＩＮＲ測定を行う。即ち、あるタイミングで受信が期待される制御信号の種類が複数（Ｃ１〜ＣＮ）に限られる場合に、受信した信号に最も類似（一致を含む）する制御信号がいずれの種類（Ｃｉ）に該当するかを判定し、特定した種類（Ｃｉ）を参照信号として用いる。
【００２１】
例えば、送信データに対する応答の受信を期待している場合、ＡＣＫ信号とＮＡＣＫ信号の限られた複数の特定パターンは、例えば「０」と「１」である。本明細書においては、特に断らない限り、制御信号とは、基地局での通信の制御処理に用いられる信号であるとともに、上りＳＩＮＲ測定を行うための信号であり、限られた複数の特定パターンを有する信号であるとする。
【００２２】
復調部１２、復号部１３、符号化部１５、マッピング部１６およびＳＩＮＲ計算部１７は、受信機１１で受信した制御信号から得られる受信データに対してＳＩＮＲを測定する測定手段を構成している。復調部１２は、受信機１１で受信した信号を復調する。復調部１２で復調されたデータには、上りリンクの伝搬路の状況に応じて誤りが生じていることがある。復号部１３は、復調部１２で復調されたデータを復号化し、誤りを訂正する。符号化部１５は復号部で特定された制御信号パターンを制御信号に用いたのと同じ符号化方式で再度符号化し、マッピング部１６は再符号化されたデータを制御信号と同じ方式でマッピングする。尚、誤り訂正を行った後も、期待している所定のパターンに一致しない場合は、期待している複数のパターンの候補の中から最も類似するパターンを復号データとして採用する。即ち、制御信号としてＣ１（００１１）、Ｃ２（１１００）の２種類のいずれかを受信することを期待しているにもかかわらず、０１００を受信した場合、Ｃ２の方が、Ｃ１よりも類似しているため、Ｃ２を復号データとし、再符号化、マッピングを行う。
【００２３】
ＳＩＮＲ計算部１７は、復調部１２で復調されたデータと、マッピング部１６でマッピングされたデータを比較し、ＳＩＮＲを計算して求める。このとき、マッピング部１６でマッピングされたデータが既知パターンのデータとなる。この既知パターンのデータに対して復調部１２で復調されたデータを比較することにより、上りリンクの伝搬路の状況を推定することができる。また、このときのＳＩＮＲ計算は、例えば図２のような従来と同様の方式を用いることが出来る。復調部１２により振幅変動、位相変動がかかったＩＱ信号が得られる。その信号をチャネル推定部５１で振幅変動、位相変動を除去したＩＱ信号を計算する。次に所望信号電力計算部５２で既知信号パターン５３と乗算し所望信号の電力を計算する。また干渉信号電力計算部（図２では、干渉信号＋雑音電力計算部と表記）５４では復調後の受信信号から所望信号を引いた値から干渉信号の電力を計算する。次にサブＳＩＮＲ計算部５５で所望信号電力と干渉信号電力の比を取ってＳＩＮＲを計算する。本発明では既知信号パターン５３がマッピング部１６から得られる。
【００２４】
スケジューラ１８は、ＳＩＮＲ計算部１７から得られる上りＳＩＮＲ情報に基づいて、上りリンクのスケジューリングを行う。リソース割当情報作成部１９は、スケジューラ１８から得られる上りリンクのスケジューリング結果に基づいてリソース割当情報を作成する。信号処理部２０は、移動局へ送信するリソース割当情報等のデータに対して符号化処理および変調処理を行う。送信機２１は、信号処理部２０の出力信号を移動局へ送信する。
【００２５】
また、受信機１１で受信した制御信号は、復調部１２および復号部１３により復調および復号化されて、上位レイヤ部１４に渡される。上位レイヤ部１４は、復号部１３から渡された制御情報に基づいて、通信の制御処理を行う。
【００２６】
図３は、この発明の実施例１にかかる基地局装置のＳＩＮＲ測定時の動作を示す図である。図３に示すように、まず、受信機１１により、移動局から送られてきた制御信号を受信する（ステップＳ１）。次いで、復調部１２により、その制御信号を復調する（ステップＳ２）。次いで、復号部１３により、復調されたデータを復号化する（ステップＳ３）。次いで、符号化部１５により復号されたデータを再符号化する（ステップＳ４）。次いで、マッピング部１６により、再符号化されたデータをＩＱ信号にマッピングする（ステップＳ５）。次いで、ＳＩＮＲ計算部１７により、復調部１２で復調されたデータと、マッピング部１６でＩＱ信号にマッピングされたデータを比較して、ＳＩＮＲを計算する（ステップＳ６）。
【００２７】
次いで、スケジューラ１８により、ＳＩＮＲの計算結果に基づいて、上りリンクのスケジューリングを行う（ステップＳ７）。次いで、リソース割当情報作成部１９により、上りリンクのスケジューリング結果に基づいて、移動局へ通知するためのリソース割当情報を作成する（ステップＳ８）。次いで、信号処理部２０により、リソース割当情報等のデータに対して符号化および変調等の信号処理を行う（ステップＳ９）。そして、送信機２１により、信号処理されたリソース割当情報を移動局へ送信する（ステップＳ１０）。
【実施例２】
【００２８】
図４は、この発明の実施例２にかかる基地局装置の構成を示す図である。図３に示すように、実施例２が実施例１と異なるのは、ＳＩＮＲの測定手段が復調部１２、既知パターンメモリ２２、第１から第ｎまでのｎ個のＳＩＮＲ計算部２３，２４および最大ＳＩＮＲ選択部２５により構成されていることである。ここで、ｎは、２以上の自然数である。その他の構成は、実施例１と同じである。従って、実施例２において、実施例１と同じ構成については、実施例１と同一の符号を付して説明を省略する。
【００２９】
既知パターンメモリ２２は、ＳＩＮＲ測定を行う際に用いられるｎ個の既知パターンデータを記憶している。第１のＳＩＮＲ計算部２３は、復調部１２で復調されたデータと、既知パターンメモリ２２に記憶されている第１の既知パターンデータを比較し、ＳＩＮＲを計算して求める。また、第ｎのＳＩＮＲ計算部２４は、復調部１２で復調されたデータと、既知パターンメモリ２２に記憶されている第ｎの既知パターンデータを比較し、ＳＩＮＲを計算して求める。従って、実施例２では、復号部１３で復号化されたデータは、ＳＩＮＲ測定の既知パターンデータとしては用いられない。
【００３０】
第２から第［ｎ−１］までの既知パターンデータについても同様である。なお、図４では、第２から第［ｎ−１］までのＳＩＮＲ計算部は、省略されている。各ＳＩＮＲ計算部２３，２４で得られるＳＩＮＲ値は、仮の値である。最大ＳＩＮＲ選択部２５は、ｎ個のＳＩＮＲ計算部２３，２４から得られるｎ個の仮のＳＩＮＲ値の中から最大の値のものを選択する。スケジューラ１８には、最大ＳＩＮＲ選択部２５で選択された値が上りＳＩＮＲ情報として渡される。
【００３１】
図５は、この発明の実施例２にかかる基地局装置のＳＩＮＲ測定時の動作を示す図である。図５に示すように、移動局から制御信号を受信し（ステップＳ１１）、その制御信号を復調する（ステップＳ１２）までは、実施例１のステップＳ１およびステップＳ２と同じである。次いで、ｍの値を１に設定する（ステップＳ１３）。ｍは、ｎ以下の自然数である。次いで、ｍの値がｎの値以下であるか否かを判断する（ステップＳ１４）。ここで、ｎの値は、既知パターンメモリ２２に記憶されている既知パターンデータの数である。
【００３２】
最初は、ｍが１であるので、ｍの値はｎの値以下である（ステップＳ１４：Ｙｅｓ）。従って、第１のＳＩＮＲ計算部２３により、復調部１２で復調されたデータと、既知パターンメモリ２２に記憶されている第１の既知パターンデータを比較し、仮の第１のＳＩＮＲを計算して求める（ステップＳ１５）。そして、ｍの値を１だけインクリメントし（ステップＳ１６）、再び、ｍの値がｎの値以下であるか否かを判断する（ステップＳ１４）。
【００３３】
ｍの値がｎの値と等しくなるまでは、ステップＳ１４〜ステップＳ１６を繰り返し、第ｍのＳＩＮＲ計算部により、復調部１２で復調されたデータと、既知パターンメモリ２２に記憶されている第ｍの既知パターンデータを比較し、仮の第ｍのＳＩＮＲを計算して求める。ｍの値がｎの値よりも大きくなったら（ステップＳ１４：Ｎｏ）、最大ＳＩＮＲ選択部２５により、得られたｎ個の仮のＳＩＮＲ値の中から最大の値のものを選択する（ステップＳ１７）。
【００３４】
そして、最大のＳＩＮＲの値に基づいて、上りリンクのスケジューリングを行い（ステップＳ１８）、リソース割当情報を作成し（ステップＳ１９）、信号処理を行って（ステップＳ２０）、移動局へ送信する（ステップＳ２１）。このステップＳ１８〜ステップＳ２１は、実施例１のステップＳ５〜ステップＳ８と同じである。
【実施例３】
【００３５】
図６は、この発明の実施例３にかかる基地局装置の構成を示す図である。図６に示すように、実施例３が実施例１と異なるのは、ＳＩＮＲの測定手段が復調部１２、復号部１３、符号化部１５、マッピング部１６、制御信号用ＳＩＮＲ計算部３１、専用信号用ＳＩＮＲ計算部３２およびＳＩＮＲ測定方式選択部３３により構成されていることである。その他の構成は、実施例１と同じである。従って、実施例３において、実施例１と同じ構成については、実施例１と同一の符号を付して説明を省略する。
【００３６】
スケジューラ１８は、上位レイヤ部１４からアプリケーションの情報を受け取り、ＳＩＮＲ測定方式選択部３３に、移動局が実施例１のような限られた複数の特定パターンを有する制御信号（ＡＣＫ信号、ＮＡＣＫ信号など）を送信してくるか否かを通知する。ＳＩＮＲ測定方式選択部３３は、そのような制御信号が送られてくるという通知を受け取る場合には、その制御信号の復調信号を復調部１２から制御信号用ＳＩＮＲ計算部３１へ転送する。
【００３７】
ＳＩＮＲ測定方式選択部３３は、そのような制御信号が送られてこないという通知を受け取る場合には、上りＳＩＮＲ測定用の専用信号の復調信号を復調部１２から専用信号用ＳＩＮＲ計算部３２へ転送する。制御信号用ＳＩＮＲ計算部３１は、実施例１と同様に、制御信号の復調信号と、それを復号部１３で復号化し符号化部１５で再符号化し、マッピング部１６でＩＱ信号にマッピングした信号を比較し、ＳＩＮＲを計算して求める。
【００３８】
専用信号用ＳＩＮＲ計算部３２は、従来同様、専用信号の復調信号と既知パターンのデータを比較してＳＩＮＲを計算する。この専用信号は、受信機１１で受信され、復調部１２で復調される。スケジューラ１８には、制御信号用ＳＩＮＲ計算部３１または専用信号用ＳＩＮＲ計算部３２からＳＩＮＲ情報が渡される。
【００３９】
図７は、この発明の実施例３にかかる基地局装置のＳＩＮＲ測定時の動作を示す図である。図７に示すように、移動局から制御信号を受信し（ステップＳ３１）、その制御信号を復調し（ステップＳ３２）、さらに復号する（ステップＳ３３）までは、実施例１のステップＳ１、ステップＳ２およびステップＳ３と同じである。次いで、スケジューラ１８およびＳＩＮＲ測定方式選択部３３により、上りＳＩＮＲ測定を行うための制御信号の有無を判断する（ステップＳ３４）。
【００４０】
その制御信号がある場合（ステップＳ３４：Ｎｏ）には、復号データを再度符号化し（ステップ３５）、ＩＱ信号にマッピングし（ステップ３６）、制御信号用ＳＩＮＲ計算部３１に送り、制御信号用ＳＩＮＲ計算部３１により、制御信号を用いて上りＳＩＮＲを計算する（ステップＳ３７）。制御信号がない場合（ステップＳ３４：Ｙｅｓ）、専用信号用ＳＩＮＲ計算部３２により、専用信号を用いて上りＳＩＮＲを計算する（ステップＳ３８）。そして、得られたＳＩＮＲの値に基づいて、上りリンクのスケジューリングを行い（ステップＳ３９）、リソース割当情報を作成し（ステップＳ４０）、信号処理を行って（ステップＳ４１）、移動局へ送信する（ステップＳ４２）。このステップＳ３９〜ステップＳ４２は、実施例１のステップＳ７〜ステップＳ１０と同じである。
【００４１】
以上説明したように、実施例３は、実施例１の基地局装置に、従来同様の専用信号による上りＳＩＮＲ測定機能を付加したものである。実施例２の基地局装置に、従来同様の専用信号による上りＳＩＮＲ測定機能を付加することもできる。
【実施例４】
【００４２】
図８は、この発明の実施例４にかかる基地局装置の構成を示す図である。図８に示すように、実施例４は、実施例３において周波数スケジューリングを行うようにしたものである。従って、制御信号用ＳＩＮＲ計算部４１および専用信号用ＳＩＮＲ計算部４２は、周波数ブロックごとのＳＩＮＲを測定する。スケジューラ４３は、周波数スケジューリングを行う機能を有している。スケジューラ４３は、制御信号用ＳＩＮＲ計算部４１または専用信号用ＳＩＮＲ計算部４２から周波数ブロックごとの上りＳＩＮＲ情報を受け取り、上りリンクの周波数スケジューリングを行う。
【００４３】
スケジューラ４３には、サブキャリア配置方式選択部４４が設けられている。サブキャリア配置方式選択部４４は、分散サブキャリア配置方式が選択される場合、上りＳＩＮＲ測定のために移動局に送信させる制御信号または専用信号のサブキャリア配置方式を分散サブキャリア配置方式とする。実施例４にかかる基地局装置のＳＩＮＲ測定時の動作は、実施例３と同じである。
【００４４】
図９は、この発明の実施例４にかかる基地局装置におけるサブキャリア配置方式の選択処理を示す図である。図９に示すように、サブキャリア配置方式の選択処理が開始されると、まず、サブキャリア配置方式選択部４４は、周波数スケジューリングを実施するか否かを判断する（ステップＳ５１）。
【００４５】
実施する場合（ステップＳ５１：Ｙｅｓ）、サブキャリア配置方式選択部４４は、分散サブキャリア配置方式を選択する（ステップＳ５２）。周波数スケジューリングを実施しない場合（ステップＳ５１：Ｎｏ）、特に何もしない。従って、サブキャリア配置方式選択部４４は、そのときのサブキャリア配置方式に従って、分散サブキャリア配置方式または隣接サブキャリア配置方式を選択する（ステップＳ５３）。そして、サブキャリア配置方式の選択処理を終了する。
【００４６】
以上説明したように、実施例４は、実施例３の基地局装置に、サブキャリア配置方式の選択機能を付加したものである。実施例１または実施例２の基地局装置に、実施例４と同様のサブキャリア配置方式を選択する機能を付加することもできる。
【００４７】
以上説明したように、実施例１〜４によれば、制御信号を用いて上りＳＩＮＲ測定を行う場合、上りＳＩＮＲ測定用の無線リソースを下りリンクで通知することと、上りＳＩＮＲ測定用の専用信号を上りリンクで送信することの両方を行う必要がない。そのため、図１０に示すように、ＯＦＤＭＡの送受信フレーム３の下りリンクサブフレーム４において、上りリンクＭＡＰ情報８のメッセージサイズが、図１１に示す従来の上りリンクＭＡＰ情報６のメッセージサイズよりも小さくなる。また、上りリンクサブフレーム５において、図１１に示す従来の専用信号領域７が不要となり、図１０に示すように、制御信号領域９のみで足りる。従って、上りリンクおよび下りリンクのリソースを圧迫することなく、上りＳＩＮＲ測定および上りリンクのスケジューリングを行うことができる。
【００４８】
図１０は、この発明の実施例にかかる上りＳＩＮＲ測定方法を説明する図である。また、実施例３または４によれば、ＳＩＮＲ測定用の専用信号を用いて上りＳＩＮＲの測定を行うこともできるので、上りＳＩＮＲ情報を常に最新に保つことができる。さらに、実施例４によれば、分散サブキャリア配置の制御信号を用いて上りＳＩＮＲ測定を行う場合、１つのサブチャネル内に配置されている複数の周波数ブロックのサブキャリアごとにＳＩＮＲ測定を行うことによって、全周波数ブロックのＳＩＮＲを測定することができる。従って、周波数方向全体のＳＩＮＲ特性を把握して周波数スケジューリングを行うことができる。その際にも、複数の周波数ブロックごとにサブチャネルを送る必要がないので、上りリンクの無線リソースの利用効率が上がる。
【００４９】
上述した実施の形態に関し、さらに以下の付記を開示する。
【００５０】
（付記１）基地局で通信の制御処理を行うための所定パターンを有する制御信号を移動局から受信する受信手段と、
前記受信手段で受信した前記制御信号から得られる受信データに対してＳＩＮＲを測定する測定手段と、
を備えることを特徴とする基地局装置。
【００５１】
（付記２）前記測定手段は、前記受信手段で受信した前記制御信号を復調して得られる復調信号と、前記復調信号を復号化して得られる復号化データを制御信号と同じ符号化方式で符号化し、符号化されたデータを制御信号と同じマッピング方式でＩＱ信号にマッピングした信号を比較することにより、ＳＩＮＲを測定することを特徴とする付記１に記載の基地局装置。
【００５２】
（付記３）前記測定手段は、前記受信手段で受信した前記制御信号を復調して得られる復調信号と、複数の既知のパターンを比較することにより、各ＳＩＮＲを測定し、そのうちの最大のＳＩＮＲを選択することを特徴とする付記１に記載の基地局装置。
【００５３】
（付記４）前記受信手段は、移動局から基地局へ送られてくるＳＩＮＲ測定用の専用信号を受信し、
前記測定手段は、前記受信手段で受信した前記専用信号を復調して得られる復調信号に対してＳＩＮＲを測定する手段をさらに有し、前記制御信号の有無によって前記制御信号を用いたＳＩＮＲの測定と前記専用信号を用いたＳＩＮＲの測定との切り替えが可能であることを特徴とする付記２または３に記載の基地局装置。
【００５４】
（付記５）前記測定手段により得られるＳＩＮＲに基づいて移動局から基地局への送信スケジューリングを行うスケジューラ、をさらに備えることを特徴とする付記１に記載の基地局装置。
【００５５】
（付記６）前記制御信号として、サブキャリアが分散して配置された信号を用い、
前記測定手段は、周波数ブロックごとにＳＩＮＲを測定し、
前記スケジューラは、周波数スケジューリングを行うことを特徴とする付記５に記載の基地局装置。
【００５６】
（付記７）前記制御信号は、ＡＣＫ信号とＮＡＣＫ信号であることを特徴とする付記１に記載の基地局装置。
【００５７】
（付記８）移動局から信号を受信する受信ステップと、
受信した信号のうち、基地局で通信の制御処理を行うための限られた複数の特定パターンを有する制御信号を用い、該制御信号から得られる受信データに対してＳＩＮＲを測定する測定ステップと、
を含むことを特徴とする上りＳＩＮＲ測定方法。
【００５８】
（付記９）前記測定ステップは、前記制御信号を復調して復調信号を得るステップと、前記復調信号を復号化して復号化データを得るステップと、前記符号化データを制御信号と同じ符号化方式で再度符号化するステップと、前記符号化データを制御信号と同じマッピング方式でＩＱ信号にマッピングするステップと、前記復調信号と前記マッピング信号を比較してＳＩＮＲを測定するステップと、を含むことを特徴とする付記８に記載の上りＳＩＮＲ測定方法。
【００５９】
（付記１０）前記測定ステップは、前記制御信号を復調して復調信号を得るステップと、前記復調信号と複数の既知のパターンを比較して各ＳＩＮＲを測定するステップと、前記各ＳＩＮＲのうちの最大のＳＩＮＲを選択するステップと、を含むことを特徴とする付記８に記載の上りＳＩＮＲ測定方法。
【００６０】
（付記１１）前記測定ステップは、受信した信号が前記制御信号以外の信号であるときに、移動局から基地局へ送られてくるＳＩＮＲ測定用の専用信号を復調して得られる復調信号に対してＳＩＮＲを測定するステップをさらに含むことを特徴とする付記９または１０に記載の上りＳＩＮＲ測定方法。
【００６１】
（付記１２）前記制御信号として、ＡＣＫ信号とＮＡＣＫ信号を用いることを特徴とする付記８に記載の上りＳＩＮＲ測定方法。
【００６２】
（付記１３）移動局から信号を受信する受信ステップと、
受信した信号のうち、基地局で通信の制御処理を行うための限られた複数の特定パターンを有する制御信号を用い、該制御信号から得られる受信データに対してＳＩＮＲを測定する測定ステップと、
測定した前記ＳＩＮＲに基づいて移動局から基地局への送信スケジューリングを行うスケジューリングステップと、
を含むことを特徴とする上りスケジューリング方法。
【００６３】
（付記１４）前記制御信号として、サブキャリアが分散して配置された信号を用い、
前記測定ステップでは、周波数ブロックごとにＳＩＮＲを測定し、
前記スケジューリングステップでは、周波数スケジューリングを行うことを特徴とする付記１３に記載の上りスケジューリング方法。
【００６４】
（付記１５）前記制御信号として、ＡＣＫ信号とＮＡＣＫ信号を用いることを特徴とする付記１３に記載の上りスケジューリング方法。
【００６５】
（付記１６）あるタイミングで受信を期待する制御信号が複数存在する場合に、該タイミングにおける受信信号を復調、復号して得られたデータに最も類似する制御信号を送信された制御信号として判定し、
送信信号として判定された該制御信号を参照信号として前記受信信号の受信品質を求める、
ことを特徴とする受信品質測定方法。
【産業上の利用可能性】
【００６６】
以上のように、本発明にかかる基地局装置、上りＳＩＮＲ測定方法、上りスケジューリング方法および受信品質測定方法は、上りＳＩＮＲの測定結果に基づいて上りリンクのスケジューリングを行う移動無線通信システムに有用であり、特に、ＩＥＥＥ８０２．１６ｅ規格の移動無線通信システムに適している。
【符号の説明】
【００６７】
１１  受信機
１２  復調部
１３  復号部
１５  符号化部
１６  マッピング部
１７，２３，２４  ＳＩＮＲ計算部
１８，４３  スケジューラ
２２  既知パターンメモリ
２５  最大ＳＩＮＲ選択部
３１，４１  制御信号用ＳＩＮＲ計算部
３２，４２  専用信号用ＳＩＮＲ計算部
３３  ＳＩＮＲ測定方式選択部
４４  サブキャリア配置方式選択部
【国際調査報告】
2009019759.tif 000014
2009019759.tif 000015
2009019759.tif 000016
2009019759.tif 000017
2009019759.tif 000018
2009019759.tif 000019
2009019759.tif 000020
2009019759.tif 000021